(57)【要約】      （修正有）【課題】顧客は、商品あるいはサービスの提供者ごとにさまざまなポイントカードを所有し、その蓄積されたポイントは、提供者ごとに交換することができない。そのため、その蓄積されたポイントが少ない場合あるいはポイントを利用する機会が少ない場合には、そのポイントカードを所有する利点が十分に生かすことができなくなってしまう。【解決手段】消費者が、通信端末を用いて、プリペイドポイントを蓄積したプリペイド通信システムを選択するシステム選択装置と、プリペイドポイントを通信料金に換算するプリペイドポイント計算装置と、を含むことを特徴とするプリペイド通信システムであり、消費者が、さまざまな提供元が発行するポイントを蓄積したプリペイドポイントを通信料金に換算することが可能となる。【選択図】図１
2004166166.tif 000002
【特許請求の範囲】
【請求項１】
基本：プリペイド通信システムを選択することが可能な端末、とそのシステム通信端末と、システム選択装置と、プリペイドポイント計算装置と、からなる通信システムであって、前記通信端末は、前記通信端末が通信を行うシステムである通信システムを選択するためのシステム選択部と、前記通信システム選択部で選択された通信システムを表す信号であるシステム選択信号を送信するシステム選択信号送信部と、通信相手のアドレスを示す情報であるアドレス情報を入力するための通信相手アドレス情報入力部と、通信相手アドレス情報送信部と、通信相手に送信したい情報である目的情報を送信するための目的情報送信部と、を有し、前記システム選択装置は、前記通信端末から送信された通信システム選択信号を受信する通信システム選択信号受信部と、前記プリペイドポイント計算装置を利用した通信を行うための通信システムであるプリペイド通信システムを選択するためのプリペイド通信システム選択部と、前記プリペイド通信システム選択部にて選択されたプリペイド通信システムにて通信代金の精算に利用するために予め準備されるポイントであるプリペイドポイントの計算のための装置であるプリペイドポイント計算装置に通信相手アドレス信号を転送するアドレス信号転送部と、を有し、前記プリペイドポイント計算装置は、前記通信端末から送信された通信相手アドレスを受信するための通信相手アドレス信号受信部と、通信端末又は、通信端末利用者ごとに前記プリペイドポイントを蓄積するためのプリペイドポイント蓄積部と、通信により前記プリペイドポイント蓄積部に蓄積されたプリペイドポイント（前記通信端末に対して一対一に関連付けられていている）の中から通信料として消費されるポイントを算定するためのポイント算定部と、を有する、通信システム。
【請求項２】
端末と端末の間でプリペイドポイントの収受が可能であるシステム前記通信端末は、プリペイドポイント振替命令送信部を有し、前記プリペイドポイント計算装置は、プリペイドポイント振替命令受信部と、前記プリペイドポイント振替命令に基づいてプリペイドポイントの振替をおこなう振替部と、をさらに有する請求項１に記載の通信システム。
【請求項３】
プリペイドポイントを外部から取得することができる端末装置、例えば景品として与えられるパスワードを入力するとそれがポイントとして変換される。
前記通信端末は、プリペイドポイントに変換可能な情報であるプリペイドポイント情報を入力するためのプリペイドポイント情報入力部と、プリペイドポイント情報をプリペイドポイント計算装置に転送するプリペイドポイント情報転送部と、をさらに有する請求項１又は２に記載の通信システム。
【請求項４】
端末装置から送信されたプリペイドポイント情報をプリペイドポイントに変換する前記プリペイドポイント計算装置は、プリペイド情報を入力するためのプリペイドポイント情報入力部と、前記プリペイドポイント情報をプリペイドポイントに変換するプリペイドポイント変換部と、を有し、前記プリペイドポイント蓄積部は、プリペイドポイント変換部で変換されたプリペイドポイントを蓄積する蓄積部をさらに有する請求項３に記載の通信システム。
【請求項５】
さらにクレジットカード端末を有し、前記クレジットカード端末は、クレジットカードの利用金額に応じてプリペイドポイントをその利用者に与えるサービスプリペイドポイントのプリペイドポイント情報であるサービスプリペイドポイント情報を出力するサービスプリペイドポイント情報出力部を有し、前記プリペイドポイント計算装置は、前記サービスプリペイドポイント情報を入力するためのサービスプリペイドポイント情報入力部を有する請求項４に記載の通信システム。
【請求項６】
前記プリペイドポイント計算装置は、通信中に前記プリペイドポイント蓄積部に蓄積されたプリペイドポイントが通信料として消費されてなくなった場合に、前記通信を切断する通信切断部を有する、請求項１から５のいずれか一に記載の通信システム。
【請求項７】
前記プリペイドポイント計算装置は、ポイントを借り入れて蓄積するためのポイント借入部を有し、通信中に前記プリペイドポイント蓄積部に蓄積されたプリペイドポイントが通信料として消費されてなくなった場合に、前記ポイント算定部は、前記ポイント借入部に蓄積されているポイントの中から通信料として消費されるポイントを算定する請求項１から５のいずれか一に記載の通信システム。
【請求項８】
前記プリペイドポイント計算装置は、通信中に前記プリペイドポイント蓄積部に蓄積されたプリペイドポイントが通信料として消費されてなくなる場合に、前記プリペイドポイント蓄積部にポイントを追加して蓄積するためのポイント追加蓄積部と、前記ポイントの追加のための対価を所定の銀行口座から引き落とすための処理をするポイント口座引落命令部と、を有する、請求項１から５のいずれか一に記載の通信システム。
【請求項９】
前記プリペイドポイント計算装置は、通信中に前記プリペイドポイント蓄積部に蓄積されたプリペイドポイントが通信料として消費されてなくなった場合に、その後の通信料を、所定の銀行口座から引き落とすための金銭口座引落命令部を有する、請求項１から５のいずれか一に記載の通信システム。
【請求項１０】
前記プリペイドポイント計算装置は、通信中に前記プリペイドポイント蓄積部に蓄積されたプリペイドポイントが通信料として消費されてなくなった場合に、金銭により通信料が支払われる別の通信会社に切り替わることにより通信を続行することができるシステム切替命令部を有する、請求項１から５のいずれか一に記載の通信システム。
【発明の詳細な説明】
【０００１】
【発明の属する技術分野】
本発明は、プリペイド通信システムを選択することが可能な端末、とそのシステムに関する。
【０００２】
また、消費者による、商品の購入に対する対価として発行されたポイントを蓄積し、その蓄積されたポイントを通信料金へ換算することを可能にする方法およびシステムに関するものである。
【０００３】
【従来の技術】
従来、プリペイド型の電話はあったが、プリペイドシステムのみを利用できるにすぎなかった。したがって、プリペイドであるか、そうでないか選択しようとしても不可能であった。しかし、プリペイド型の通信をしたい場合は、プリペイド残高がなくなると直ちに通信が切断されてしまうという大きな問題点があった。
【０００４】
また今日、商品あるいはサービスの提供者は、消費者を誘引する目的のために、提供者ごとにさまざまなポイントカードを発行している。そのポイントカードには、消費者が現金あるいはクレジットカード等で商品を購入したり、サービスを受けたことによる支払い金額に応じてポイントが蓄積される。この蓄積されたポイントにより、顧客は、次回以降の利用の際に、そのポイントに応じた金額を割り引いた価格で商品の購入あるいはサービスの提供を受けることができる。しかし、顧客は、商品あるいはサービスの提供者ごとにさまざまなポイントカードを所有し、その蓄積されたポイントは、提供者ごとに交換することができない。そのため、その蓄積されたポイントが少ない場合あるいはポイントを利用する機会が少ない場合には、そのポイントカードを所有する利点が十分に生かすことができなくなってしまうという大きな問題点があった。
【０００５】
【発明が解決しようとする課題】
本発明は、上記事情に鑑みてなされたものであり、その目的とするところは、第一に、プリペイド通信システムを選択することが可能な端末、とそのシステムにより、プリペイドポイントが消費されてなくなった場合でも通信を継続できるシステムを提供すること、第二に、消費者が、商品あるいはサービスの提供者ごとに提供されたポイントカードのポイントを通信料金に換算することができるプリペイドポイントの通信料金への換算システムを提供することにある。
【０００６】
【課題を解決するための手段】
上記目的を達成するために、請求項１に記載の発明は、プリペイド通信システムを選択することが可能な通信端末、とそのシステムであり、消費者が、さまざまな提供元が発行するポイントを蓄積したプリペイドポイントを通信料金に換算することが可能なシステムであって、前記消費者が前記通信端末を用いて、前記プリペイドポイントを蓄積したプリペイド通信システムを選択するシステム選択装置と、前記プリペイドポイントを通信料金に換算するプリペイドポイント計算装置と、を含むことを特徴としている。
【０００６】
また、請求項２に記載の発明は、前記請求項１に記載の通信システムにおいて、前記消費者の通信端末は、前記消費者の通信端末と他の消費者の通信端末の間でプリペイドポイントの収受を可能にする部分をさらに有することを特徴としている。
【０００７】
また、請求項３に記載の発明は、前記請求項１又は２に記載の通信システムにおいて、前記消費者の通信端末は、前記プリペイドポイントを外部から取得することができる端末装置部分、例えば景品として与えられるパスワードを入力するとそれがポイントとして変換される部分をさらに有することを特徴としている。
【０００８】
また、請求項４に記載の発明は、前記請求項３に記載の通信システムにおいて、前記プリペイドポイント計算装置は、前記端末装置部分から送信されたプリペイドポイント情報をプリペイドポイントに変換し、蓄積する部分をさらに有することを特徴としている。
【０００９】
また、請求項５に記載の発明は、前記請求項４に記載の通信システムにおいて、さらにクレジットカード端末を有し、前記クレジットカード端末は、クレジットカードの利用金額に応じてプリペイドポイントをその利用者に与えるサービスプリペイドポイントのプリペイドポイント情報であるサービスプリペイドポイント情報を、前記プリペイドポイント計算装置に出力することができることを特徴としている。
【００１０】
また、請求項６に記載の発明は、前記請求項１から５のいずれか一に記載の通信システムにおいて、前記プリペイドポイント計算装置は、通信中に蓄積された前記プリペイドポイントが通信料として消費されてなくなった場合に、前記通信を切断する通信切断部をさらに有することを特徴としている。
【００１１】
また、請求項７に記載の発明は、前記請求項１から５のいずれか一に記載の通信システムにおいて、前記プリペイドポイント計算装置は、ポイントを借り入れて蓄積するためのポイント借入部を有し、通信中に蓄積された前記プリペイドポイントが通信料として消費されてなくなった場合に、前記ポイント算定部が、前記ポイント借入部に蓄積されているポイントの中から通信料として消費されるポイントを算定することを特徴としている。
【００１２】
また、請求項８に記載の発明は、前記請求項１から５のいずれか一に記載の通信システムにおいて、前記プリペイドポイント計算装置は、通信中に蓄積された前記プリペイドポイントが通信料として消費されてなくなる場合に、前記プリペイドポイント蓄積部にポイントを追加して蓄積するためのポイント追加蓄積部と、前記ポイントの追加のための対価を所定の銀行口座から引き落とすための処理をするポイント口座引落命令部とを、さらに有することを特徴としている。
【００１３】
また、請求項９に記載の発明は、前記請求項１から５のいずれか一に記載の通信システムにおいて、前記ポイント計算装置は、通信中に蓄積された前記プリペイドポイントが通信料として消費されてなくなった場合に、その後の通信料を、所定の銀行口座から引き落とすための金銭口座引落命令部を有することを特徴としている。
【００１４】
また、請求項１０に記載の発明は、前記請求項１から５のいずれか一に記載の通信システムにおいて、前記ポイント計算装置は、通信中に蓄積された前記プリペイドポイントが通信料として消費されてなくなった場合に、金銭により通信料が支払われる別の通信会社に切り替わることにより通信を続行することができるシステム切替命令部を、さらに有することを特徴としている。
【００１５】
【発明の実施の形態】
【００１６】
（実施形態１）
「実施形態の概念」
本発明は、既存の通信システムのみでなく、プリペイド型の通信にも接続可能なプリペイド通信システムを選択することができるシステムに関するものであり、プリペイド通信システム利用者は、あらかじめ蓄積しておいた通信料金に換算可能なプリペイドポイントを利用した通信が可能であり、さらにその蓄積されたプリペイドポイントが消費されてなくなってしまう場合にも通信を継続することができることを特徴としている。
「構成要件の明示」
まず、本発明のプリペイド通信システムの全体の概略構成図について、図１を参照して説明する。
【００１７】
図１に示すのは、本例のプリペイド通信システムのブロック図である。
【００１８】
本例のプリペイド通信システムは、商品あるいはサービス提供者が発行したポイントについて、通信料金に換算することができるシステムであり、通信端末１０１、システム選択装置２０１、プリペイドポイント計算装置３０１を有している。
【００１９】
プリペイド通信システム利用者は、まず通信端末１０１から、利用したいプリペイド通信システムを識別する番号等の信号を入力する。その信号がシステム選択装置２０１に送信され、システム選択装置２０１はプリペイド通信システムを利用するための通信装置であるプリペイドポイント計算装置３０１を選択し、プリペイド通信システムと接続する。その後、プリペイド通信システム利用者は、通信端末１０１から、通信したい相手先の通信アドレス情報を入力することにより、システム選択装置２０１、プリペイドポイント計算装置３０１、通信網４０１等を経由して、所望の通信相手５０１に接続される。その後、利用者は、通信相手と通信可能となり、目的の情報を送受信する。通信中は、通信時間に応じて、プリペイドポイント計算装置３０１に蓄積された通信料金に換算可能なプリペイドポイントを消費していくことにより、通信することが可能となることを特徴としている。
【００２０】
「構成要件の説明」
図２に示すのは通信端末１０１の機能ブロック図である。
【００２１】
通信端末１０１は、システム選択部１０１ａと、システム選択信号送信部１０１ｂと、通信相手アドレス情報入力部１０１ｃと、通信相手アドレス情報送信部１０１ｄと、目的情報送信部１０１ｅと、を有している。通信端末１０１は、上記機能を有していれば、固定電話、携帯電話、ＰＨＳ、ＰＤＡ、デスクトップ型コンピュータ、ノート型コンピュータ、ラップトップ型コンピュータ、パームトップ型コンピュータまたはこれらに類する通信端末などいかなる型の通信端末でもよい。
【００２２】
通信端末１０１のシステム選択部１０１ａは、消費者が選択したい通信システム提供会社のシステム、例えば通信システム３０２、通信システム３０３などの中から本発明のプリペイド通信システムを利用するための通信装置であるプリペイドポイント計算装置３０１を選択するために、通信端末１０１から入力されたプリペイドポイント計算装置３０１を選択するための特定の番号等を入力する。
【００２３】
通信端末１０１のシステム選択信号送信部１０１ｂは、上記特定の番号等を入力後、システム選択部１０１ａで選択された通信システム例えば本発明のプリペイド通信システムを利用するための通信装置であるプリペイドポイント計算装置３０１を選択するための信号であるシステム選択信号をシステム選択装置２０１に送信する。
【００２４】
通信端末１０１の通信相手アドレス情報入力部１０１ｃは、上記プリペイドポイント計算装置３０１を選択する番号を通信装置１０１より入力した後、続けて実際に通信したい通信相手のアドレスを示す情報であるアドレス情報を入力する。
【００２５】
通信端末１０１の通信相手アドレス情報送信部１０１ｄは、上記通信相手アドレス入力後、通信相手アドレス情報入力部１０１ｃで受け取った通信相手のアドレスをシステム選択装置２０１に送信する。
【００２６】
通信端末１０１の目的情報送信部１０１ｅは、上記通信相手アドレス送信後、実際に通信相手に送信したい情報である目的情報を送信する。
【００２７】
図３に示すのはシステム選択装置２０１の機能ブロック図である。
【００２８】
システム選択装置２０１は、通信システム選択信号受信部２０１ａと、プリペイド通信システム選択部２０１ｂと、アドレス信号転送部２０１ｃとを有している。
【００２９】
システム選択装置２０１の通信システム選択信号受信部２０１ａは、通信端末１０１から送信された本発明のプリペイド通信システムを選択するシステム選択信号を受信する。
【００３０】
システム選択装置２０１のプリペイド通信システム選択部２０１ｂは、上記システム選択信号を受信後、プリペイドポイント計算装置３０１を利用した通信を行うための通信システムであるプリペイド通信システムを選択する。
【００３１】
システム選択装置２０１のアドレス信号転送部２０１ｃは、上記プリペイド通信システムを選択後、プリペイド通信システム選択部２０１ｂにて選択されたプリペイド通信システムにて通信代金の精算に利用されるプリペイドポイントの計算のための装置であるプリペイドポイント計算装置３０１に通信相手アドレス信号を転送する。
【００３２】
図４に示すのはプリペイドポイント計算装置３０１の機能ブロック図である。
【００３３】
プリペイドポイント計算装置３０１は、通信相手アドレス信号受信部３０１ａと、プリペイドポイント蓄積部３０１ｂと、ポイント算定部３０１ｃとを有している。
【００３４】
プリペイドポイント計算装置３０１の通信相手アドレス信号受信部３０１ａは、通信端末１０１から送信された通信相手アドレスを受信する。
【００３５】
プリペイドポイント計算装置３０１のプリペイドポイント蓄積部３０１ｂは、通信端末１０１又は、通信端末利用者ごとにプリペイドポイントを蓄積する。
【００３６】
プリペイドポイント計算装置３０１のポイント算定部３０１ｃは、消費者とその通信相手が通信している間、通信によりプリペイドポイント蓄積部３０１ｂに蓄積されたプリペイドポイント（通信端末１０１に対して一対一に関連付けられていている）の中から通信料として消費されるポイントを算定する。
【００３７】
以上の作用により、消費者は、プリペイド通信システムを利用することにより、通信料金をプリペイドポイント蓄積部３０１ｂに蓄積されたプリペイドポイント（通信端末１０１に対して一対一に関連付けられていている）の中から支払うことにより、通信相手との通信が可能となる。
【００３８】
（実施形態２）
次に、本発明にかかる実施形態２について、説明する。なお、以下には、前記実施形態１と実質的に同様の構成に関しては説明を省略し、異なる部分についてのみ述べる。
【００３９】
本例のプリペイド通信システムは、上述の実施形態１に開示したプリペイドポイントを通信端末間あるいは通信端末利用者間で収受できることを示した例である。
【００４０】
図５に示すのは、実施形態２に関する通信端末１０１の機能ブロック図である。
【００４１】
通信端末１０１は、上述の実施形態１の構成に加えて、プリペイドポイント振替命令送信部１０１ｆを有している。
【００４２】
通信端末１０１のプリペイドポイント振替命令送信部１０１ｆは、プリペイド通信システム利用者が、実施形態１で述べた処理手順に従って、プリペイドポイントの振替をしたい通信相手を選択した後、その通信相手に対して振替の依頼の命令を、システム選択装置２０１を経由して、プリペイドポイント計算装置３０１に送信する。
【００４３】
図６に示すのはプリペイドポイント計算装置３０１の機能ブロック図である。
【００４４】
プリペイドポイント計算装置３０１は、上述の実施形態１の構成に加えて、プリペイドポイント振替命令受信部３０１ｄと、プリペイドポイント振替部３０１ｅと、を有している。
【００４５】
プリペイドポイント計算装置３０１のプリペイドポイント振替命令受信部３０１ｄは、通信端末１０１から送信され、システム選択装置２０１を経由したプリペイドポイント振替命令信号を受信する。
【００４６】
プリペイドポイント計算装置３０１のプリペイドポイント振替部３０１ｅは、プリペイドポイント振替命令に基づいてプリペイドポイントの振替をおこなう。
【００４７】
以上の作用により、本発明の利用者は、本例のプリペイド通信システムを利用することにより、他人のプリペイドポイントを自分のプリペイドポイントに、あるいはその逆の振替を行うことが可能となる。
【００４８】
（実施形態３）
次に、本発明にかかる実施形態３について、説明する。なお、以下には、前記実施形態１あるいは２と実質的に同様の構成に関しては説明を省略し、異なる部分についてのみ述べる。
【００４９】
本例のプリペイド通信システムは、上述の実施形態１あるいは２に開示したプリペイドポイントを外部から取得することができる端末装置、例えば景品として与えられるパスワードを入力するとそれがポイントとして変換されることを示した例である。
【００５０】
図７に示すのは、実施形態３に関する通信端末１０１の機能ブロック図である。
【００５１】
通信端末１０１は、上述の実施形態１あるいは２の構成に加えて、プリペイドポイント情報入力部１０１ｇと、プリペイドポイント情報転送部１０１ｈと、を有している。
【００５２】
通信端末１０１のプリペイドポイント情報入力部１０１ｇは、プリペイドポイントに変換可能な情報であるプリペイドポイント情報、例えば消費者が購入した商品あるいはサービスに与えられる景品などに付随するパスワードを入力する。入力されたパスワードなどは、そこでプリペイドポイントに変換される。システム選択装置２０１を経由して、プリペイドポイント計算装置３０１のプリペイドポイント蓄積部３０１ｂに蓄積される。
【００５３】
通信端末１０１のプリペイドポイント情報転送部１０１ｈは、上記処理の後、そのプリペイドポイント情報をプリペイドポイント計算装置３０１に転送する。
【００５４】
以上の作用により、本発明の利用者は、本例のプリペイド通信システムの通信端末を利用することにより、購入した商品あるいはサービスに与えられる景品などに付随するパスワードを入力することが可能となる。
【００５５】
（実施形態４）
次に、本発明にかかる実施形態４について、説明する。なお、以下には、前記実施形態３と実質的に同様の構成に関しては説明を省略し、異なる部分についてのみ述べる。
【００５６】
本例のプリペイド通信システムは、通信端末１０１から送信されたプリペイドポイント情報が、プリペイドポイント計算装置３０１にてプリペイドポイントに変換されることを示した例である。
【００５７】
図８に示すのは、実施形態４に関するプリペイドポイント計算装置３０１の機能ブロック図である。
【００５８】
プリペイドポイント計算装置３０１は、上述の実施形態３の構成に加えて、プリペイドポイント情報入力部３０１ｆと、プリペイドポイント変換部３０１ｇと、変換プリペイドポイント蓄積部３０１ｂ１と、を有している。
【００５９】
プリペイドポイント計算装置３０１のプリペイドポイント情報入力部３０１ｆは、通信端末１０１からのプリペイド情報、例えば、前記実施形態３に示したように、消費者が購入した商品あるいはサービスに与えられる景品などに付随するパスワードを入力する。
【００６０】
プリペイドポイント計算装置３０１のプリペイドポイント変換部３０１ｇは、上記処理の後、プリペイドポイント情報をプリペイドポイントに変換する。
【００６１】
プリペイドポイント計算装置３０１の変換プリペイドポイント蓄積部３０１ｂ１は、上記処理の後、プリペイドポイント変換部３０１ｇで変換されたプリペイドポイントを蓄積する。
【００６２】
以上の作用により、本発明の利用者は、本例のプリペイド通信システムを利用することにより、購入した商品あるいはサービスに与えられる景品などに付随するパスワードなどのポイント情報を入力することでプリペイドポイントの蓄積が可能となる。
【００６３】
（実施形態５）
次に、本発明にかかる実施形態５について、説明する。なお、以下には、前記実施形態４と実質的に同様の構成に関しては説明を省略し、異なる部分についてのみ述べる。
【００６４】
図９に示すのは、本例のプリペイド通信システムのブロック図であり、図１のブロック構成に加えてクレジットカード端末１０２を、さらに有する。
【００６５】
本例のプリペイド通信システムは、図９のクレジットカード端末１０２から送信されたプリペイドポイント情報がプリペイドポイントに変換されることを示した例である。
【００６６】
図１０に示すのは、クレジットカード端末１０２の機能ブロック図である。
【００６７】
クレジットカード端末１０２は、サービスプリペイドポイント情報出力部１０２ａを有する。
【００６８】
クレジットカード端末１０２のサービスプリペイドポイント情報出力部１０２ａは、クレジットカードの利用金額に応じてプリペイドポイントをその利用者に与えるサービスプリペイドポイントのプリペイドポイント情報であるサービスプリペイドポイント情報を出力する。
【００６９】
図１１に示すのは、実施形態５に関するプリペイドポイント計算装置３０１の機能ブロック図である。
【００７０】
プリペイドポイント計算装置３０１は、上述の実施形態４の構成に加えて、サービスプリペイドポイント情報入力部３０１ｈを有する。
【００７１】
プリペイドポイント計算装置３０１のサービスプリペイドポイント情報入力部３０１ｈは、クレジットカード端末１０２からのサービスプリペイドポイント情報を入力する。
【００７２】
以上の作用により、本発明の利用者は、本例のプリペイド通信システムを利用することにより、クレジットカードで購入した商品あるいはサービスに与えられるクレジットカードのポイント情報を、クレジットカード端末から入力することでプリペイドポイントの蓄積が可能となる。
【００７３】
（実施形態６）
次に、本発明にかかる実施形態６について、説明する。なお、以下には、前記実施形態１から５のいずれか一と実質的に同様の構成に関しては説明を省略し、異なる部分についてのみ述べる。
【００７４】
本例のプリペイド通信システムは、通信中にプリペイドポイント蓄積部３０１ｂに蓄積されたプリペイドポイントが通信料として消費されてなくなった場合に、通信が切断されることを示した例である。
【００７５】
図１２に示すのは、実施形態６の構成に関するプリペイドポイント計算装置３０１の機能ブロック図である。
【００７６】
プリペイドポイント計算装置３０１は、上述の実施形態１から５のいずれか一の構成に加えて、通信切断部３０１ｉを有する。
【００７７】
プリペイドポイント計算装置３０１の通信切断部３０１ｉは、通信中にプリペイドポイント蓄積部３０１ｂに蓄積されたプリペイドポイントが通信料として消費されてなくなった場合に、通信を切断する。
【００７８】
以上の作用により、本発明の利用者は、本例のプリペイド通信システムを利用することにより、蓄積されたプリペイドポイントが通信料として消費されてなくなった場合に、通信が切断されるので、予期せぬ通信料の支払いを回避することが可能となる。
【００７９】
（実施形態７）
次に、本発明にかかる実施形態７について、説明する。なお、以下には、前記実施形態１から５のいずれか一と実質的に同様の構成に関しては説明を省略し、異なる部分についてのみ述べる。
【００８０】
本例のプリペイド通信システムは、通信中にプリペイドポイント蓄積部３０１ｂに蓄積されたプリペイドポイントが通信料として消費されてなくなった場合に、ポイントを借り入れることにより、通信を続行できることを示した例である。
【００８１】
図１３に示すのは、実施形態７の構成に関するプリペイドポイント計算装置３０１の機能ブロック図である。
【００８２】
プリペイドポイント計算装置３０１は、上述の実施形態１から５のいずれか一の構成に加えて、ポイント借入部３０１ｊを有する。
【００８３】
プリペイドポイント計算装置３０１のポイント借入部３０１ｊは、自動的にポイントの借り入れが可能であって、限度額までは残高がマイナスでも通信することができる借り入れポイントを蓄積することができる。
【００８４】
通信中にプリペイドポイント蓄積部３０１ｂに蓄積されたプリペイドポイントが通信料として消費されてなくなった場合に、ポイント算定部３０１は、ポイント借入部３０１ｊに蓄積されているポイントの中から通信料として消費されるポイントを算定し、通信を継続することができる。
【００８５】
以上の作用により、本発明の利用者は、本例のプリペイド通信システムを利用することにより、蓄積されたプリペイドポイントが通信料として消費されてなくなった場合に、ポイントの借り入れによりポイントを補充することができ、通信を継続することが可能となる。
【００８６】
（実施形態８）
次に、本発明にかかる実施形態８について、説明する。なお、以下には、前記実施形態１から５のいずれか一と実質的に同様の構成に関しては説明を省略し、異なる部分についてのみ述べる。
【００８７】
本例のプリペイド通信システムは、通信中にプリペイドポイント蓄積部３０１ｂに蓄積されたプリペイドポイントが通信料として消費されてなくなる場合に、特定の銀行口座からポイント相当の金額の引き落としがされることにより追加されるポイントを利用することで、通信を続行できることを示した例である。
【００８８】
図１４に示すのは、実施形態８の構成に関するプリペイドポイント計算装置３０１の機能ブロック図である。
【００８９】
プリペイドポイント計算装置３０１は、上述の実施形態１から５のいずれか一の構成に加えて、ポイント追加蓄積部３０１ｋ、ポイント口座引落命令部３０１ｌを有する。
【００９０】
プリペイドポイント計算装置３０１のポイント追加蓄積部３０１ｋは、ポイント追加のための対価を所定の銀行口座から引き落とにより、プリペイドポイント蓄積部３０１ｂにポイントを蓄積する。
【００９１】
プリペイドポイント計算装置３０１のポイント口座引落命令部３０１ｌは、通信中にプリペイドポイント蓄積部３０１ｂに蓄積されたプリペイドポイントが通信料として消費されてなくなる場合に、通信を続行することができるように、ポイント追加蓄積部３０１ｋにポイントを蓄積する処理を行うとともに、ポイント追加のための対価を所定の銀行口座から引き落としをするための処理をする。
【００９２】
以上の作用により、本発明の利用者は、本例のプリペイド通信システムを利用することにより、蓄積されたプリペイドポイントが通信料として消費されてなくなる場合に、ポイント追加のための対価を所定の銀行口座から引き落とするための処理をし、通信を継続することが可能となる。
【００９３】
（実施形態９）
次に、本発明にかかる実施形態９について、説明する。なお、以下には、前記実施形態１から５のいずれか一と実質的に同様の構成に関しては説明を省略し、異なる部分についてのみ述べる。
【００９４】
本例のプリペイド通信システムは、通信中にプリペイドポイント蓄積部３０１ｂに蓄積されたプリペイドポイントが通信料として消費されてなくなった場合に、残りは、銀行口座から金銭により通信料の引き落としがされることにより、通信を続行できることを示した例である。
【００９５】
図１５に示すのは、実施形態９の構成に関するプリペイドポイント計算装置３０１の機能ブロック図である。
【００９６】
プリペイドポイント計算装置３０１は、上述の実施形態１から５のいずれか一の構成に加えて、金銭口座引落命令部３０１ｍを有する。
【００９７】
プリペイドポイント計算装置３０１の金銭口座引落命令部３０１ｍは、通信中にプリペイドポイント蓄積部３０１ｂに蓄積されたプリペイドポイントが通信料として消費されてなくなった場合に、その後の通信料を、所定の銀行口座から引き落とすための処理をする。
【００９８】
以上の作用により、本発明の利用者は、本例のプリペイド通信システムを利用することにより、蓄積されたプリペイドポイントが通信料として消費されてなくなった場合に、その後の通信料を、銀行口座から金銭により通信料を引き落とし、通信を継続することが可能となる。
【００９９】
（実施形態１０）
次に、本発明にかかる実施形態１０について、説明する。なお、以下には、前記実施形態１から５のいずれか一と実質的に同様の構成に関しては説明を省略し、異なる部分についてのみ述べる。
【０１００】
本例のプリペイド通信システムは、通信中にプリペイドポイント蓄積部３０１ｂに蓄積されたプリペイドポイントが通信料として消費されてなくなった場合に、金銭により通信料が支払われる別の通信会社に切り替わることにより通信を続行することができることを示した例である。
【０１０１】
図１６に示すのは、実施形態１０の構成に関するプリペイドポイント計算装置３０１の機能ブロック図である。
【０１０２】
プリペイドポイント計算装置３０１は、上述の実施形態１から５のいずれか一の構成に加えて、システム切替命令部３０１ｎを有する。
【０１０３】
プリペイドポイント計算装置３０１のシステム切替命令部３０１ｎは、通信中にプリペイドポイント蓄積部３０１ｂに蓄積されたプリペイドポイントが通信料として消費されてなくなった場合に、通信を続行することができるように、金銭により通信料が支払われる別の通信会社に切り替えるようにシステム選択装置２０１に命令する。システム切替命令を受信したシステム選択装置２０１は、例えば、通信システム３０２、あるいは通信システム３０３を新たに選択することにより、別の通信会社に切り替えることが可能である。
【０１０４】
以上の作用により、本発明の利用者は、本例のプリペイド通信システムを利用することにより、蓄積されたプリペイドポイントが通信料として消費されてなくなった場合に、金銭により通信料が支払われる別の通信会社に切り替わることにより、通信が切断されることなく通信を継続することが可能となる。
【０１０５】
【発明の効果】
以上説明したように、本発明によれば、プリペイド通信システムを利用することにより、消費者は、さまざまな手段より入手したポイントを、一括して通信料金として利用することが可能となる。
【図面の簡単な説明】
【図１】本発明の実施形態１に関するプリペイド通信システムのブロック図
【図２】本発明の実施形態１に関する通信端末の機能ブロック図
【図３】本発明の実施形態１に関するシステム選択装置の機能ブロック図
【図４】本発明の実施形態１に関するプリペイドポイント計算装置の機能ブロック図
【図５】本発明の実施形態２に関する通信端末の機能ブロック図
【図６】本発明の実施形態２に関するプリペイドポイント計算装置の機能ブロック図
【図７】本発明の実施形態３に関する通信端末の機能ブロック図
【図８】本発明の実施形態４に関するプリペイドポイント計算装置の機能ブロック図
【図９】本発明の実施形態５に関するプリペイド通信システムのブロック図
【図１０】本発明の実施形態５クレジットカード端末の機能ブロック図である
【図１１】本発明の実施形態５に関するプリペイドポイント計算装置の機能ブロック図
【図１２】本発明の実施形態６に関するプリペイドポイント計算装置の機能ブロック図
【図１３】本発明の実施形態７に関するプリペイドポイント計算装置の機能ブロック図
【図１４】本発明の実施形態８に関するプリペイドポイント計算装置の機能ブロック図
【図１５】本発明の実施形態９に関するプリペイドポイント計算装置の機能ブロック図
【図１６】本発明の実施形態１０に関するプリペイドポイント計算装置の機能ブロック図
【符号の説明】
１０１・・・通信装置
１０２・・・クレジットカード端末
２０１・・・システム選択装置
３０１・・・プリペイドポイント計算装置
３０２・・・通信システム
３０３・・・通信システム
４０１・・・通信網
５０１・・・通信相手
【図１】
2004166166.tif 000003
【図２】
2004166166.tif 000004
【図３】
2004166166.tif 000005
【図４】
2004166166.tif 000006
【図５】
2004166166.tif 000007
【図６】
2004166166.tif 000008
【図７】
2004166166.tif 000009
【図８】
2004166166.tif 000010
【図９】
2004166166.tif 000011
【図１０】
2004166166.tif 000012
【図１１】
2004166166.tif 000013
【図１２】
2004166166.tif 000014
【図１３】
2004166166.tif 000015
【図１４】
2004166166.tif 000016
【図１５】
2004166166.tif 000017
【図１６】
2004166166.tif 000018